(57)【要約】【課題】容易に体裁よく収納が可能な収納容器を提供する。【解決手段】収納容器１０は、六面を有する立方体の枠体１１と、六面に対する面を有するマット２０とを含む。マット２０の六面が枠体１１の立方体の六面に位置するように収納される。【選択図】図１
2009035304.tif 000002
【特許請求の範囲】
【請求項１】
六面を有する立方体の枠体と、
前記六面に対する面を有するマットとを含む収納容器であって、
前記マットの六面は前記立方体の六面に位置するように前記枠体内に収納される、収納容器。
【請求項２】
前記マットは、おむつ交換用マットである、請求項１に記載の収納容器。
【請求項３】
前記マットは、乳幼児のプレイマットである、請求項１または２に記載の収納容器。
【請求項４】
前記マットは椅子用のクッションカバーである、請求項１から３のいずれかに記載の収納容器。
【請求項５】
前記枠体の一辺の長さは４００ｍｍである、請求項１から４のいずれかに記載の収納容器。
【請求項６】
前記六面を有する立方体の枠体は複数重ねて使用可能である、請求項１から５のいずれかに記載の収納容器。
【発明の詳細な説明】
【技術分野】
【０００１】
この発明は収納容器に関し、特に、乳幼児の発達段階に応じた使用ができる収納容器に関する。
【背景技術】
【０００２】
折り畳むことによって箱状に形成可能なプレイマットが特開平９−１６８６７２号公報（特許文献１）に開示されている。特許文献１によれば、正方形状のマットに折り目と面ファスナを設けることによって立方体状の物いれが形成できる。
【特許文献１】特開平９−１６８６７２号公報（要約等）
【発明の開示】
【発明が解決しようとする課題】
【０００３】
上記特許文献１によれば、プレイマットを折り畳んで物入れを構成できるが、プレイマット自体が布で構成されているため、その形状を保つことが困難であるとともに、上部に蓋がないため収納物が見えるという問題があった。そのため、たとえば、乳幼児がおもちゃで遊んでいるときに急な来客があって、おもちゃを急いで折り畳んだマットに収納する場合に、短時間で体裁よくおもちゃ等を収納できないという問題があった。
【０００４】
この発明は上記のような問題点を解消するためになされたもので、容易に体裁よく収納が可能な収納容器を提供することを目的とする。
【課題を解決するための手段】
【０００５】
この発明にかかる収納容器は、六面を有する立方体の枠体と、六面に対する面を有するマットと、マットの六面が立方体の六面に位置するように収納される。
【０００６】
マットの六面が立方体の枠体の六面に位置するように収納されるため、マット内に収納できるものであれば、任意のものを立方体の容器に収納できる。その結果、容易に体裁よく収納が可能になる。
【０００７】
たとえば、マットをオムツ交換用とすれば、交換用のオムツを簡単に収納できる。マットを乳幼児のプレイマットとして使用すれば、乳幼児が遊ぶ小物のおもちゃを遊びをやめたときに、そのまま収容できる。
【０００８】
好ましくは、マットは椅子用のクッションカバーとして使用可能である。
【０００９】
さらに好ましくは、枠体の一辺の長さは４００ｍｍである。
【００１０】
なお、六面を有する立方体の枠体は複数重ねて使用可能であるのが好ましい。
【発明を実施するための最良の形態】
【００１１】
以下、この発明の一実施の形態を図面を参照して説明する。図１はこの発明の一実施形態における、収納容器１０の全体構成を示す斜視図である。図１を参照して、収納容器１０は、六面を有する立方体の枠体１１と、六面に対する面を有するマット２０とを含み、マット２０の六面がそれぞれ立方体の六面に位置するように収納されている。
【００１２】
枠体１１は、立方体の８個の頂点に設けられ、相互に直交する三辺のフレームを受ける頂点部材１２ａ〜１２ｈと、これらの頂点部材１２ａ〜１２ｈによって保持されるフレーム１３ａ〜１３ｌとを含む。枠体１１の一辺の長さは約４００ｍｍが好ましい。この理由については後述する。また、フレームは、プラスチック等で構成された円筒状のものが好ましい。
【００１３】
次に、枠体１１に収納されるマット２０について説明する。図２はマット２０の展開図である。図２を参照して、マット２０は正方形の六面２１ａ〜２１ｆを有しており、その形状としては、縦方向一列に四面２１ａ〜２１ｄがならび、その下端部から一面上の面２１ｃを挟むように、二面２１ｅ、２１ｆが設けられるのが好ましい。
【００１４】
面２１ａの縦方向の中央部の先端、および、面２１ｅ，２１ｆの横方向の両端部の上下に面ファスナ２２ａ〜２２ｅが設けられている。マット２０は、所定の厚さ、柔軟性、および、弾力性を有しているのが好ましい。
【００１５】
次に、枠体１１とマット２０とから収納容器１０を作成する方法について説明する。図３は、枠体１１とマット２０とから収納容器１０を作成する方法を示す図である。図３（Ａ）はマット２０から収納部を構成した状態を示す図であり、図３（Ｂ）は枠体１１を示す図である。図３（Ａ）を参照して、マット２０の面２１ｃを底部とし面２１ｃの４辺に連続した４面２１ｂ，２１ｄ，２１ｅ，２１ｆを立ち上げて壁面とし、面２１ｂ〜２１ｆで収納部を形成する。このとき、面２１ｅ，２１ｆに設けられた面ファスナ２２ｂ〜２２ｅを用いて、隣接する壁面の上部同士を接続する。なお、図においては、面ファスナ２２が結合される対面側の面ファスナについては図示を省略している。
【００１６】
このようにして形成された収納部の上部の開口部を面２１ａで蓋をする。このとき蓋となる面２１ａの先端部の中央には面ファスナ２２ａが設けられているため、この面ファスナ２２ａで面２１ａと面２１ｄとを接続して収納部の開口部の蓋が開かないようにする。
【００１７】
このようにして形成された立方体状の収納部をフレーム１３ａ〜１３ｄで構成される開口部から枠体１１の内部に収納して収納容器１０が完成する。なお、枠体１１の底面となる面には底板が設けられているものとする。
【００１８】
次に、この収納容器１０の具体的な使用方法について説明する。まず、収納容器１０にオムツが収納されている場合について説明する。乳幼児が泣いてオムツの交換が必要になったときは、収納容器１０から立方体の収納部を取り出してマット２０を広げる。
【００１９】
図４はこの場合のマット２０の使用状態を示す図である。図４を参照して、まず、マット２０を、面２１ｄを上側として広げ、面２１ｄに乳幼児の頭部が位置するように寝かせる。母親は面２１ａ側に位置して、乳幼児のオムツを交換する。このとき、予め収納容器１０内にオムツが収納されているため、スムーズにオムツの交換が可能になる。また、オムツの交換中に急な来客等があっても、オムツの交換後はオムツをマット２０内に収納して素早く枠体１１の中に収容できるため、オムツが雑然と放置されるという状況を避けることができる。
【００２０】
なお、同様にして、マット２０は、乳幼児のプレイマットとしても使用可能である。この場合、乳幼児はマット２０の上におもちゃを広げて遊ぶことができるとともに、遊んだ後は、おもちゃをマット２０内に収納すれば、簡単に後片付けができる。
【００２１】
次に、収納容器１０となる立方体の一辺の長さの決定方法について説明する。発明者らは乳幼児の発達段階における動作、たとえば、立ち上がり、伝い歩き、押し歩きといった動作を行っている状態をビデオカメラと感圧センサシートにて計測した。それを三次元動作解析ソフトウエアを用いて動作解析を行い、図示のない圧分布データより重心移動等の解析を行った。その結果を図５に示す。図５は、月齢１１ヶ月の乳幼児（身長７５０ｍｍ、体重９．９ｋｇ）の腰部の持上げ速度●と手すり本体にかかる荷重□とが、手すりの高さによってどのように変化するかを示すグラフである。図５を参照して、立ち上がり動作では、高さが高くなるに従い腰部の持ち上げ平均速度は小さくなり、立ち上がりにくくなっていると考えられる。また、持ち手部分の高さが４００ｍｍにおいては、垂直抗力が小さいことから、他とは異なり、主に下半身の力で立ち上がっていると考えられる。動作解析をあわせてみるとこのときに、スムーズな立ち上がり動作を行っていることがわかった。
【００２２】
伝い歩き動作では、高さ３００ｍｍのとき、図示のない圧分布による足裏の足位置等からみて、足の方向がさまざまな方向を向いてしまっていた。また、５００，６００ｍｍでは、スムーズな足運びが行われていないため、重心の移動軌跡のぶれが大きかったのに対し、高さ４００ｍｍにおいては、重心移動も、足運びもスムーズにできていることが分かった。以上のように、もち手部分の高さが４００ｍｍになるような立方体を乳幼児に与えることにより、効果的に下半身の筋肉を働かせ、筋力の発達を促すことができる。
【００２３】
そこで、この実施の形態においては、収納容器１０を構成する枠体１１を一辺の長さが４００ｍｍとした。マット２０をプレイマットとして用い、その上に枠体１１をおいて乳幼児が遊ぶときには、乳幼児は枠体１１を手すりとして遊ぶことができる。その結果、この収納容器１０は乳幼児の発育を促す遊具としても利用できる。
【００２４】
次に、この発明の他の実施の形態について説明する。図６はこの発明の他の実施の形態を示す図である。この実施の形態においては、マット２０を乳幼児の椅子として使用する。図６はその状態を示す斜視図である。ここでは、マット２０の六面のうち、面２１ｃを座面とし、面２１ｂを背もたれとし、面２１ｅ，２１ｆを両側面としている。なお、面２１ａは後部へ折り畳み、面２１ｄは前方向に延在させている。
【００２５】
次に、この発明のさらに他の実施の形態について説明する。図７は、この発明のさらに他の実施の形態を説明するための図である。この実施の形態においては、枠体１１の上に、枠体１１を構成する立方体の一辺を省いた第２枠体１５を接続し、その第２枠体１５に図示のように図６に示したのと同様の椅子用のマットの形態にされたマット２０を載置する。以上のようにこの実施の形態においては、乳幼児が成長した後において枠体１１とマットとを子供用の椅子として利用できる。なお、第２枠体１５は図６に示した乳幼児用の椅子に使用してもよい。
【００２６】
なお、上記実施の形態においては、枠体には底面として使用される一つの面のみに底板を設けたが、これに限らず、他の面にも、面を構成する部材を設けてもよい。また、この面は必要な部分のみに設けてもよいし、開閉可能に設けてもよい。
【００２７】
また、この面をホワイトパネルとし、乳幼児がそのホワイトパネルを用いてお絵かきができるようにしてもよい。
【００２８】
また、枠体をフレームのみとした場合、または、少なくとも対向する二面のフレームに面部材を設けない場合は、この枠体の内部を乳幼児が通って、いわゆる、「はいはい」の練習ができる。この場合、複数の枠体を連続して配置してもよい。
【００２９】
また、面を構成する部材を少なくとも一面に設けた枠体は、机としても利用可能である。
【００３０】
次に、この発明の他の実施の形態について説明する。図８はこの実施形態における、収納容器３０の全体構成を示す斜視図である。図８を参照して、収納容器３０は、六面を有する立方体の枠体１１と、上面を除く五面を有するマット４０とを含み、マット４０の五面がそれぞれ立方体の上面を除く五面に位置するように収納されている。枠体１１は、先の実施の形態における枠体１１と同様であるので、同一部分に同一参照符号を付して、その説明を省略する。
【００３１】
次に、枠体１１に収納されるマット４０について説明する。図９はマット４０の展開図である。図９を参照して、マット２０は全体として正方形であり、以下に説明するように、折りたたむことによって上部が開口した立方体が形成される。すなわち、マット４０は、その全体が九面の正方形の小マット４１ａ〜４１ｉから構成されており、それぞれの小マット４１ａ〜４１ｉは図９（Ａ）において点線４２で示すように折り目がつけられている。ここで、マット４０は、中央部に設けられた３つの小マット４１ａ〜４１ｃと、小マット４１ａ〜４１ｃの一方側に設けられた３つの小マット４１ｄ〜４１ｆと、他方側に設けられた３つの小マット４１ｇ〜４１ｉとを含む。
【００３２】
これらの小マット４１ａ〜４１ｉを図９（Ｂ）に示すようにそれぞれの折り目４２で折り、小マット４１ｂを底面にすることによって、図９（Ｃ）に示すような、上部が開口された立方体形状の収納部４４を形成できる。なお、中央部に設けられた小マット４１ａおよび４１ｃのそれぞれの中央部の表面側にはそれぞれの小マット４１ａ，４１ｃから外部に延在するように長手の面ファスナ４３ａ，４３ｂが設けられており、この面ファスナ４３ａ，４３ｂは、小マット４１ａ，４１ｃの裏面側に設けられた図示のない面ファスナに接続可能である。
【００３３】
図９（Ｃ）に示すように形成された収納部４４は、図９（Ｄ）に示す枠体１１に収容されて、図８に示すような収納容器が完成する。なお、収納部４４が枠体１１に収容されたときは、面ファスナ４３ａ，４３ｂはそれぞれフレーム１３ａ，１３ｃをまたいで裏面側に設けられた図示のない面ファスナに接続され、収納部４４と枠体１１とが一体化される。図１０は、図８においてＸ−Ｘで示す部分の断面図であり、面ファスナ４３ａ，４３ｂはそれぞれフレーム１３ａ，１３ｃをまたいで裏面側に設けられた図示のない面ファスナに接続されている状態を示す図である。
【００３４】
なお、マット４０は、先の実施の形態と同様に、所定の厚さ、柔軟性、および、弾力性を有しているのが好ましい。
【００３５】
なお、上記実施の形態においては、枠体１１はフレームのみで、フレーム間に面を設けなかったが、これに限らず、面を設けてもよい。また、この面は必要な部分のみに設けてもよいし、開閉可能に設けてもよい。
【００３６】
また、上記実施の形態においては、五面で収納部を構成する場合に、収納部の開口部となる部分の近傍に１箇所づつ面ファスナを設けた例について説明したが、これに限らず、中央部に設けてもよいし、２箇所に設けてもよい。
【００３７】
また、上記実施の形態においては、枠体は、立方体の頂点に設けられた頂点部材と、頂点部材によって保持されるフレームとから構成した例について説明したが、これに限らず、全体を円筒形状のフレームで構成してもよい。
【００３８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３９】
【図１】この発明の一実施形態における収納容器の全体構成を示す斜視図である。
【図２】マットの展開図である。
【図３】収納容器の分解斜視図である。
【図４】マットをオムツ交換マットとして使用した状態を示す図である。
【図５】乳幼児の動作状態を示すグラフである。
【図６】マットを椅子として使用した状態を示す斜視図である。
【図７】マットを椅子として使用した状態を示す斜視図である。
【図８】収納容器の他の実施の形態を示す斜視図である。
【図９】他の実施の形態におけるマットの展開図である。
【図１０】図８においてＸ-Ｘで示す部分の断面図である。
【符号の説明】
【００４０】
１０，３０  収納容器、１１  枠体、１２  頂点部材、１３  フレーム、２０，４０  マット。
【図１】
2009035304.tif 000003
【図２】
2009035304.tif 000004
【図３】
2009035304.tif 000005
【図４】
2009035304.tif 000006
【図５】
2009035304.tif 000007
【図６】
2009035304.tif 000008
【図７】
2009035304.tif 000009
【図８】
2009035304.tif 000010
【図９】
2009035304.tif 000011
【図１０】
2009035304.tif 000012